(57)【要約】【課題】展開状態又は折り畳み状態を維持するロックを解除するために、簡単且つスムーズに操作することができるロック操作機構を有する乳母車を提供する。【解決手段】折り畳み可能な乳母車１が、手押し杆４０と、手押し杆４０に設けられ、手押し杆４０に沿って移動することによって当該乳母車１を展開状態又は折り畳み状態に維持するロックを解除するロック解除部材４５と、ロック解除部材４５に接続されると共に手押し杆４０に設けられ、手押し杆４０に沿って移動させることによってロック解除部材４５を移動させる操作部材７１と、操作部材７１と一体的に配置されると共に操作部材７１の移動を係止し、手押し杆４０に向かう方向に押圧されることによって、上記係止が解除される係止部材７２と、を具備する。【選択図】図８
2015083444.tif 000002
【特許請求の範囲】
【請求項１】
折り畳み可能な乳母車であって、
手押し杆と、
該手押し杆に設けられ、該手押し杆に沿って移動することによって当該乳母車を展開状態又は折り畳み状態に維持するロックを解除するロック解除部材と、
該ロック解除部材に接続されると共に前記手押し杆に設けられ、該手押し杆に沿って移動させることによって前記ロック解除部材を移動させる操作部材と、
該操作部材と一体的に配置されると共に該操作部材の移動を係止し、前記手押し杆に向かう方向に押圧されることによって、前記係止が解除される係止部材と、を具備することを特徴とする乳母車。
【請求項２】
前記係止部材が、前記操作部材の側面に形成された孔を介して突出した押圧部を有することを特徴とする請求項１に記載の乳母車。
【請求項３】
前記操作部材と前記手押し杆との間に空間が形成され、前記係止部材の突出した部分を前記空間内に没入させることによって、前記係止が解除されることを特徴とする請求項２に記載の乳母車。
【請求項４】
前記操作部材の移動は、前記空間内に没入した前記係止部材の突出した部分が前記空間の内壁面に当接することによって規制されることを特徴とする請求項３に記載の乳母車。
【請求項５】
前記係止部材が、前記手押し杆を貫通する棒状の部材であることを特徴とする請求項１から４のいずれか一項に記載の乳母車。
【発明の詳細な説明】
【技術分野】
【０００１】
本発明は、折り畳み可能な乳母車に関する。
【背景技術】
【０００２】
使用時において、乳幼児を乗せて押しながら移動可能な展開状態と、不使用時において、コンパクトに収納可能な折り畳み状態とを切り替えることができる乳母車が公知である（例えば、特許文献１）。特許文献１の乳母車は、乳母車を押す際に保護者が把持する手押し杆の上部の略中央部分に設けられたロック操作機構を操作することによって、展開状態又は折り畳み状態を維持するロック機構によるロックを解除し、展開状態と折り畳み状態とを切り替えることができる。
【先行技術文献】
【特許文献】
【０００３】
【特許文献１】特開２００７−９８９９５号公報
【発明の概要】
【発明が解決しようとする課題】
【０００４】
ところで、図１０に示されるようなロック操作機構を有する乳母車も公知である。図１０のロック操作機構は、係止部材１００と、操作部材１０１とを有している。係止部材１００は、手押し杆１０２に対して回転軸１０３によって取り付けられ、手押し杆１０２の長手方向に対して垂直な回転軸線周りに回転可能である。また、係止部材１００は、図において時計回りにスプリング等によって付勢されている。この状態で、係止部材１００は、操作部材１０１が誤って操作されないように、操作部材１０１の移動を係止している。
【０００５】
乳母車の展開状態と折り畳み状態とを切り替えるときには、まず、係止部材１００近傍の手押し杆１０２を把持し（図１０（ａ））、親指で以て付勢力に抗して係止部材１００を手前側、すなわち図において反時計回りに回転させて操作部材１０１との係止を解除する。次いで、親指の状態を維持しつつ手押し杆１０２を軽く持ち替え、人差し指及び中指で以て操作部材１０１の把持突起１０１ａを引っ掛けながら操作部材１０１を挟持する（図１０（ｂ））。この状態で、手押し杆１０２の長手方向に沿って操作部材１０１を手前側に引き寄せることによって、ロック機構によるロックが解除され、乳母車の展開状態と折り畳み状態とを切り替えることが可能となる。
【０００６】
しかしながら、このロック操作機構によれば、図１０（ａ）及び図１０（ｂ）に示されたそれぞれの手の配置の違いから明らかなように、係止部材１００による係止を解除する操作と、ロック機構によるロックを解除するために操作部材１０１を手前側に引き寄せる操作とは、全く独立した操作である。従って、展開状態又は折り畳み状態を維持するロックを解除するために、ロック操作機構の操作を一連の動作でスムーズに行うことは困難である。
【０００７】
本発明は、展開状態又は折り畳み状態を維持するロックを解除するために、簡単且つスムーズに操作することができるロック操作機構を有する乳母車を提供することを目的とする。
【課題を解決するための手段】
【０００８】
請求項１に記載の発明によれば、折り畳み可能な乳母車であって、手押し杆と、該手押し杆に設けられ、該手押し杆に沿って移動することによって当該乳母車を展開状態又は折り畳み状態に維持するロックを解除するロック解除部材と、該ロック解除部材に接続されると共に前記手押し杆に設けられ、該手押し杆に沿って移動させることによって前記ロック解除部材を移動させる操作部材と、該操作部材と一体的に配置されると共に該操作部材の移動を係止し、前記手押し杆に向かう方向に押圧されることによって、前記係止が解除される係止部材と、を具備することを特徴とする乳母車が提供される。
【０００９】
また、請求項２に記載の発明によれば請求項１に記載の発明において、前記係止部材が、前記操作部材の側面に形成された孔を介して突出した押圧部を有することを特徴とする乳母車が提供される。
【００１０】
また、請求項３に記載の発明によれば請求項２に記載の発明において、前記操作部材と前記手押し杆との間に空間が形成され、前記係止部材の突出した部分を前記空間内に没入させることによって、前記係止が解除されることを特徴とする乳母車が提供される。
【００１１】
また、請求項４に記載の発明によれば請求項３に記載の発明において、前記操作部材の移動は、前記空間内に没入した前記係止部材の突出した部分が前記空間の内壁面に当接することによって規制されることを特徴とする乳母車が提供される。
【００１２】
また、請求項５に記載の発明によれば請求項１から４のいずれか１つに記載の発明において、前記係止部材が、前記手押し杆を貫通する棒状の部材であることを特徴とする乳母車が提供される。
【発明の効果】
【００１３】
各請求項に記載の発明によれば、展開状態又は折り畳み状態を維持するロックを解除するために、簡単且つスムーズに操作することができるロック操作機構を有する乳母車を提供するという共通の効果を奏する。
【図面の簡単な説明】
【００１４】
【図１】本発明の実施形態に係る乳母車の展開状態における斜視図である。
【図２】手押し杆が背面押し位置にある乳母車の側面図である。
【図３】手押し杆が対面押し位置にある乳母車の側面図である。
【図４】乳母車の折り畳み状態における側面図である。
【図５】ロック状態にあるロック機構の部分斜視図である。
【図６】ロック解除状態にあるロック機構の部分斜視図である。
【図７】ロック操作機構の部分斜視図である。
【図８】ロック操作機構の縦断面図である。
【図９】ロック機構のロックを解除するためのロック操作機構の操作を説明する図である。
【図１０】従来のロック機構のロック解除操作を説明する図である。
【発明を実施するための形態】
【００１５】
以下、図面を参照しながら本発明の実施の形態を詳細に説明する。全図面に渡り、対応する構成要素には共通の参照符号を付す。
【００１６】
図１は、本発明の実施形態に係る乳母車１の展開状態における斜視図である。乳母車１は、乳幼児を乗せるシート本体１０と、シート本体１０を支持する左右一対の前脚２０及び後脚３０と、乳母車１を押す際に保護者が把持する手押し杆４０と、乳幼児の転落防止のための左右一対のアームレスト５０及び前方のガードアーム６０とを有している。なお、本明細書中では、各構成部材の説明において、乳母車１に着座した乳幼児から見た前方を「前」とし、その反対側を「後」と規定する。
【００１７】
また、図２は、手押し杆４０が背面押し位置にある乳母車１の側面図であり、図３は、手押し杆４０が対面押し位置にある乳母車１の側面図である。背面押し位置とは、保護者が乳幼児の背面に位置し、乳幼児の前方へ向かって乳母車１を押せるように、手押し杆４０が後方側に配置される位置である。他方、対面押し位置とは、保護者が乳幼児に対面して位置し、乳幼児の後方へ向かって乳母車１を押せるように、手押し杆４０が前方側へ配置される位置である。
【００１８】
さらに、図４は、乳母車１の折り畳み状態における側面図である。図１乃至図３に示された乳母車１の状態が、乳母車１の使用状態、すなわち乳幼児を乗せて押しながら移動可能な展開状態を示すのに対し、図４に示された乳母車１の状態は、乳母車１の不使用状態、すなわちコンパクトに収納可能な折り畳み状態を示す。
【００１９】
図１乃至図４を参照しながら、乳母車１の各構成部材について説明する。
【００２０】
シート本体１０は、乳幼児が着座する座部１１と、乳幼児が寄り掛かる背当て部１２と、乳幼児を安全に乳母車１に対して拘束するための幼児ベルト１３とを有している。背当て部１２は、座部１１に対する傾斜角度を変更すること、すなわちリクライニングさせることができる。また、シート本体１０は、クッション材１４によって全体が覆われている。シート本体１０の上部、すなわち背当て部１２の上部には、幌１５が取り付けられている。幌１５は、乳母車１の展開状態において、前方へ展開したり、後方へ折り畳んだりすることができる。シート本体１０の下方には、物品を収容可能な籠１６が設けられている。
【００２１】
前脚２０の各々の下端部には前輪２１が回転可能に取り付けられ、後脚３０の各々の下端部には後輪３１が回転可能に取り付けられている。前輪２１及び後輪３１によって、乳母車１が前後及び左右を自在に走行可能となる。また、左右の前脚２０の下端部近傍は、着座した乳幼児が両足を置くフットレスト２２によって連結されている。前脚２０及び後脚３０の各々の上端部は、対応する左右のアームレスト５０の前端部に対して前後方向に枢動可能に取り付けられている。ガードアーム６０は、全体として円弧状に形成され、且つ、屈曲可能に形成されている。ガードアーム６０の両端部は、対応する左右のアームレスト５０の前端上部に対して着脱可能に取り付けられている。
【００２２】
手押し杆４０は、略Ｕ字形状に形成されている。手押し杆４０の上部には、左右方向に水平に延びる把持部４０ａが設けられている。把持部４０ａは、乳母車を押す際に保護者が把持することから、クッション材４１によって覆われている。また、把持部４０ａの両端からは、支持管４０ｂが下方に向かって延びている。左右の把持部４０ａ近傍の支持管４０ｂには、後述するロック操作機構７０がそれぞれ設けられている。支持管４０ｂの下端部は、対応する左右のブラケット４２を介して後脚３０の外側面に取り付けられている。
【００２３】
アームレスト５０の各々の後端部には、連結杆８０の上端部が回転可能に取り付けられている。シート本体１０の座部１１の左右は、側部フレーム１８によって支持されている。側部フレーム１８の各々の前端部は、乳母車１の展開状態において前脚２０に沿って下方へ屈曲して延び、前脚２０の中間部分２０ａの内側に対して回転可能に取り付けられている。側部フレーム１８の各々の後端部は、シート本体１０の座部１１の後部の左右の側面に設けられた係合パネル１７に対して接続されている。
【００２４】
ブラケット４２は、鈍角に屈曲してブーメラン状に形成された厚いプレート状の部材である。その屈曲位置は、一端に偏って形成されている。ブラケット４２の屈曲位置に対して短い方の部分は、手押し杆４０が背面押し位置にある場合において、手押し杆４０の支持管４０ｂに沿って延びており、その端部には、後述するように、係合凹部４２ａ（図６）が形成されている。ブラケット４２の屈曲位置に対して長い方の部分は、乳母車１の展開状態において後脚３０に沿って延び、その端部は、後脚３０の中間部分３０ａの外側に対して回転可能に取り付けられている。また、ブラケット４２の屈曲位置と、その外側に配置された手押し杆４０の支持管４０ｂの下端部とは、左右方向に延びるように配置された一対の軸部材４３によって貫通されている。
【００２５】
左右の軸部材４３の各々は、乳母車１の側面を外側から内側に向かって順に、手押し杆４０の支持管４０ｂの下端部と、ブラケット４２の屈曲位置と、連結杆８０の下端部と、係合パネル１７と、側部フレーム１８の後端部とを貫通している。従って、これらの部材は、軸部材４３によって形成される共通の回転軸線周りに回転可能である。手押し杆４０の支持管４０ｂの下端部が、軸部材４３周りに回転可能に取り付けられていることによって、手押し杆４０は、図２に示される背面押し位置及び図３に示される対面押し位置に配置され得るようになっている。
【００２６】
連結杆８０は、手押し杆４０が背面押し位置にある場合において、手押し杆４０の支持管４０ｂに対して平行に延びている。連結杆８０の各々の上部の外側面には、係止突起８１が設けられている（図３）。アームレスト５０の各々の外側面には、係止突起８１と同一形状の係止突起５１が設けられている（図２）。連結杆８０の係止突起８１及びアームレスト５０の係止突起５１は、図２及び図３において、軸部材４３に対して同心円上に配置されている。また、この同心円上においてこれら係止突起と係止可能な係止部（図示せず）を有する係止部材４４が、手押し杆４０の左右の支持管４０ｂの各々に取り付けられている。係止部材４４は、筒状に形成され、手押し杆４０の支持管４０ｂに沿って長手方向に移動可能となっており、図示しない付勢手段によって、下方、すなわち下端部の方向に付勢されている。
【００２７】
係止部材４４と、連結杆８０の係止突起８１又はアームレスト５０の係止突起５１とは、係止部材４４を付勢力に抗して手押し杆４０の支持管４０ｂに沿って上方へ移動させることによって係止解除され、係止部材４４を元の位置に戻すと再び係止される。手押し杆４０は、係止部材４４と係止突起８１又は係止突起５１との係止が解除された状態で、前後に揺動させることができ、背面押し位置と対面押し位置とを切り替えることができる。すなわち、手押し杆４０を背面押し位置（図２）にしたい場合には、係止部材４４と連結杆８０の係止突起８１とを係止させ、手押し杆４０を対面押し位置（図３）にしたい場合には、係止部材４４と連結杆８０の係止突起８１とを係止させる。手押し杆４０が背面押し位置にある場合には、図２に示されるように、手押し杆４０と、前脚２０、さらには連結杆８０とは平行である。また、手押し杆４０が対面押し位置にある場合には、図３に示されるように、手押し杆４０と後脚３０とは平行である。
【００２８】
次に、展開状態又は折り畳み状態を維持するロック機構について説明する。図５は、ロック状態にあるロック機構の部分斜視図であり、図６は、ロック解除状態にあるロック機構の部分斜視図である。
【００２９】
ロック機構は、手押し杆４０の左右の支持管４０ｂの各々に取り付けられたロック解除部材４５と、左右の連結杆８０の各々に取り付けられたロック部材８２とを有している。ロック解除部材４５は、筒状に形成され、手押し杆４０の支持管４０ｂに沿って長手方向に移動可能となっており、図示しない付勢手段によって、下方、すなわち下端部の方向に付勢されている。ロック部材８２は、筒状に形成され、連結杆８０に沿って長手方向に移動可能となっており、図示しない付勢手段によって、下方、すなわち下端部の方向に付勢されている。
【００３０】
特に図６に明示されているように、ロック部材８２の外側の下面には、下方へ突出する係合凸部８２ａが形成されている。また、ロック部材８２の内側の下面には、下方へ突出する係合凸部８２ｂが形成されている。乳母車１の展開状態において、ロック部材８２の係合凸部８２ａは、相補的に形成されたブラケット４２の係合凹部４２ａと係合し、軸部材４３周りのブラケット４２の回転を阻止する。同様に、ロック部材８２の係合凸部８２ｂは、相補的に形成された係合パネル１７の係合凹部１７ａと係合し、軸部材４３周りの係合パネル１７の回転、すなわち軸部材４３周りの座部１１の側部フレーム１８の回転を阻止する。すなわち、図５において、ロック機構はロック状態にある。その結果、乳母車１は、展開状態を維持する。
【００３１】
ロック部材８２の上部には、外側、すなわち手押し杆４０の支持管４０ｂ側へ突出する作動板８３が設けられている。作動板８３は、連結杆８０の長手方向に対して垂直な平面を形成するように配置されている。
【００３２】
ロック解除部材４５は、内側、すなわち連結杆８０側へ突出するロック解除杆４６を有している。手押し杆４０が背面押し位置にある場合において、ロック解除部材４５のロック解除杆４６は、ロック部材８２の作動板８３の直下に配置されるように、ロック解除杆４６及び作動板８３の相対的な位置が設定される。なお、ロック解除部材４５のロック解除杆４６及びロック部材８２の作動板８３は、手押し杆４０の前後の揺動運動を阻害しない。
【００３３】
ロック解除部材４５は、手押し杆４０に設けられたロック操作機構７０を操作することによって、支持管４０ｂに沿って上方へ移動する。ロック解除部材４５の上方への移動によって、ロック解除部材４５のロック解除杆４６がロック部材８２の作動板８３に係合し、ロック部材８２も上方へ移動する。ロック部材８２の上方への移動によって、ロック部材８２の係合凸部８２ａとブラケット４２の係合凹部４２ａとの係合、及び、ロック部材８２の係合凸部８２ｂと係合パネル１７の係合凹部１７ａとの係合が、解除される。従って、軸部材４３周りのブラケット４２の回転及び軸部材４３周りの座部１１の側部フレーム１８の回転が可能となる。すなわち、図６において、ロック機構はロック解除状態にある。その結果、乳母車１を展開状態から折り畳み状態へと切り替えることができる。
【００３４】
なお、ロック機構の構造から明らかなように、手押し杆４０が図３に示されるような対面押し位置にある場合には、ロック操作機構７０を操作してもロック機構によるロックを解除することはできない。すなわち、ロック解除部材４５とロック部材８２とが離間していることから、ロック操作機構７０を操作してもロック解除部材４５の上方への移動によってロック部材８２を上方へ移動させることはできない。
【００３５】
次に、乳母車１を折り畳む際の操作について説明する。まず、手押し杆４０が対面押し位置にあれば、折り畳み操作の前に、手押し杆４０を対面押し位置（図３）から背面押し位置（図２）に移動させておく。
【００３６】
手押し杆４０を背面押し位置にした状態で、手押し杆４０の左右のロック操作機構７０を同時に操作し、ロック解除部材４５を介してロック部材８２を上方へ移動させることにより、ロック機構のロックを解除する。すなわち、ロック部材８２とブラケット４２との係合、及び、ロック部材８２と係合パネル１７との係合を解除する。この状態で、手押し杆４０を後上方へ引き上げると、ブラケット４２と共に軸部材４３によって連結された部材、すなわちアームレスト５０と側部フレーム１８と連結杆８０とが、後脚３０に対してその中間部分３０ａ周りに、図２において時計回りに僅かばかり回転する。次いで、手押し杆４０を、下方に押し下げることによって、重力による補助も受けつつ、ブラケット４２と共に軸部材４３によって連結された部材は、さらに時計回りに回転する。このような操作により、最終的に乳母車１は、図４に示されるような折り畳み状態に切り替えられる。
【００３７】
図４に示されるように、折り畳み状態の乳母車１は、手押し杆４０と前脚２０とが略平行に配置されており、手押し杆４０は、乳母車１の展開状態のときに較べてより下方に配置されている。従って、折り畳み状態の乳母車１は、展開状態の乳母車１に較べて、前後方向及び上下方向にコンパクトな大きさとなり、収納に適した状態となっている。
【００３８】
乳母車１の折り畳み状態において、ロック部材８２の係合凸部８２ａは、相補的に形成されたブラケット４２の図示しない別の係合凹部と係合し、軸部材４３周りのブラケット４２の回転を阻止する。同様に、ロック部材８２の係合凸部８２ｂは、相補的に形成された係合パネル１７の別の係合凹部と係合し、軸部材４３周りの係合パネル１７の回転、すなわち軸部材４３周りの座部１１の側部フレーム１８の回転を阻止する。すなわち、図４において、ロック機構はロック状態にある。その結果、乳母車１は、折り畳み状態を維持する。
【００３９】
乳母車１を折り畳み状態から展開状態へと切り替えるためには、上述した折り畳む際の操作と逆の手順を踏めばよい。すなわち、手押し杆４０の左右のロック操作機構７０を同時に操作し、ロック解除部材４５を介してロック部材８２を上方へ移動させることにより、ロック機構のロックを解除する。次いで、手押し杆４０を上方へ引き上げることによって、ブラケット４２と共に軸部材４３によって連結された部材、すなわちアームレスト５０と側部フレーム１８と連結杆８０とを、後脚３０に対して、図４において反時計回りに回転させることによって、乳母車１を展開状態へと切り替えられ、再びロック機構によって展開状態を維持するようにロックされる。
【００４０】
次に、ロック操作機構７０について説明する。図７は、ロック操作機構７０の部分斜視図であり、図８は、ロック操作機構７０の縦断面図である。ロック操作機構７０は、操作部材７１と、係止部材である係止ピン７２と、ワイヤ固定ピン７３と、操作ワイヤ７４とを有している。
【００４１】
操作部材７１は、筒状に形成され、手押し杆４０の支持管４０ｂに沿って長手方向に移動可能となっている。手押し杆４０に取り付けられた状態で、操作部材７１の左右方向の側面において、上部は外方に膨張しており、下部は内方に湾曲している。その結果、図８に示されるように、操作部材７１の上部は、手押し杆４０の支持管４０ｂとの間に、環状の空間７５、又は少なくとも左右方向において空間７５が形成されている。他方、操作部材７１の下部は、中実である。
【００４２】
操作部材７１の側面には、左右方向において、その上部の対応する孔７１ａから係止ピン７２が挿入され、その下部の対応する孔７１ｂから孔７１ｂへワイヤ固定ピン７３が貫通して挿入される。すなわち、係止ピン７２は、操作部材７１内に挿入はされるが、その先端は、操作部材７１を貫通していない。手押し杆４０の支持管４０ｂには、係止ピン７２が貫通して挿入されるように、対応する位置に係止ピン７２と略同一径の円形孔４０ｃが形成されている。また、手押し杆４０の支持管４０ｂには、ワイヤ固定ピン７３が貫通して挿入されるように、対応する位置に長手方向に延びる長孔４０ｄが形成されている。
【００４３】
係止ピン７２は、小径のピン本体７２ａと大径の押圧部７２ｂとを有する棒状の部材である。係止ピン７２が操作部材７１に挿入された状態で、係止ピン７２の押圧部７２ｂと、手押し杆４０の支持管４０ｂとの間に、コイルスプリング７６が配置されている。このとき、係止ピン７２のピン本体７２ａは、コイルスプリング７６内を挿通している。係止ピン７２の押圧部７２ｂは、孔７１ａを介して操作部材７１から外方に突出している。すなわち、係止ピン７２は、操作部材７１と一体的に配置されると共に操作部材７１の移動を係止している。
【００４４】
ワイヤ固定ピン７３は、操作部材７１を貫通し、その端部は抜けないようにナットやリベットによって留められている。操作ワイヤ７４は、手押し杆４０の中空の支持管４０ｂ内に配置されている。支持管４０ｂ内において、操作ワイヤ７４の一端はワイヤ固定ピン７３に連結され、その他端はロック解除部材４５に連結されている。上述したように、ロック解除部材４５が下方へ付勢されていることによって、ロック解除部材４５に連結されたワイヤ固定ピン７３、ひいてはワイヤ固定ピン７３が挿入されている操作部材７１も下方へ付勢されている。
【００４５】
図９は、ロック機構のロックを解除するためのロック操作機構の操作を説明する図である。図９（ａ）に示されたロック操作機構は、図７及び図８に示されたロック操作機構と同じ状態を示している。このとき、ワイヤ固定ピン７３は、支持管４０ｂの長手方向に延びる長孔４０ｄの下部に配置されている。
【００４６】
ロック機構のロックを解除するためには、この状態から、まず、コイルスプリング７６の付勢力に抗して、係止ピン７２の押圧部７２ｂを、手押し杆４０の支持管４０ｂに向かう方向に押圧し、空間７５内に没入させる（図９（ｂ））。それによって、操作部材７１と係止ピン７２との係止が解除される。次いで、操作部材７１を、手押し杆４０の支持管４０ｂに沿って上方へ移動させる（図９（ｃ））。このとき、係止ピン７２は、貫通している支持管４０ｂの円形孔４０ｃによって上方への移動が規制されている。他方、ワイヤ固定ピン７３は、支持管４０ｂの長孔４０ｄ内を上方へ移動する。操作部材７１の上方への移動は、係止ピン７２と操作部材７１の空間７５の内壁面、例えば下端面との当接、又は、ワイヤ固定ピン７３と支持管４０ｂの長孔４０ｄの上部との当接によって規制される。
【００４７】
操作部材７１と共にワイヤ固定ピン７３が上方へ移動することによって、ワイヤ固定ピン７３に一端が連結された操作ワイヤ７４も上方へ移動する。その結果、操作ワイヤ７４の他端に連結されたロック解除部材４５も上方へ移動し、ロック機構のロックが解除される。ロック解除部材４５は、上述したように、下方へ付勢されていることから、操作部材７１を上方へ移動させる力を解除すると、ロック操作機構は自動的に図９（ｄ）に示された状態に復帰する。それによって、係止ピン７２の押圧部７２ｂが、操作部材７１の孔７１ａに収容された図９（ａ）に示された状態に復帰する。
【００４８】
図９（ａ）から図９（ｄ）に至って再び図９（ａ）の状態となる一連の動作は、親指が下方に配置されるようにして操作部材７１の上部を把持するか、又は、親指が上方に配置されるようにして操作部材７１の下部を把持し、その親指又は他の指で以て係止ピン７２を押し込むことによって行われる。すなわち、操作部材７１を把持するために力を入れる方向と係止ピン７２を押し込むために力を入れる方向とは同一である。また、係止ピン７２が、操作部材７１と一体的に配置されていることによって、係止ピン７２の押圧と、操作部本体７１の把持とを同時に行うことができる。従って、この状態のまま、すなわち係止ピン７２を押し込んでから各指の配置や掌の配置を換えることなく、操作部材７１を上方へ移動させることができる。このため、本発明に係るロック操作機構によれば、乳母車１の展開状態又は折り畳み状態を維持するロックを解除するために、簡単且つスムーズに操作することができ、利便性が向上する。
【００４９】
上述した実施形態では、係止部材として係止ピン７２を手押し杆４０の支持管４０ｂに貫通させることで、操作部材７１と支持管４０ｂとを係止させた。しかしながら、操作部材７１と一体的に配置されると共に操作部材７１の移動を係止し、手押し杆４０に向かう方向に押圧されることによって、係止が解除される構成である限りにおいて、係止部材は任意の構成であってもよい。このため、係止部材が操作部材と一体的に配置されているとは、上述した実施形態のように、係止部材が操作部材に包含されている態様に加え、隣接又は近接する態様も含んでいる。
【符号の説明】
【００５０】
１    乳母車
１０    シート本体
２０    前脚
３０    後脚
４０    手押し杆
４５    ロック解除部材
５０    アームレスト
６０    ガードアーム
７０    ロック操作機構
７１    操作部材
７２    係止部材
８０    連結杆
【図１】
2015083444.tif 000003
【図２】
2015083444.tif 000004
【図３】
2015083444.tif 000005
【図４】
2015083444.tif 000006
【図５】
2015083444.tif 000007
【図６】
2015083444.tif 000008
【図７】
2015083444.tif 000009
【図８】
2015083444.tif 000010
【図９】
2015083444.tif 000011
【図１０】
2015083444.tif 000012